(57)【要約】【課題】通話中に着信や保留等の複数の通信状態があったとしても、この通話の切断操作に応じて通話を切断することができるが、着信や保留等の複数の通信状態までも解放してしまう。【解決手段】複数の通話受付を可能とすると共に、複数の電話機１１との会議通話を可能とするＭＦＴ１２を収容接続するＰＢＸ１３を備え、ＰＢＸは、ＭＦＴの会議通話を確立する通話制御部６１を有し、この通話制御部は、ＭＦＴの会議通話中に、ＭＦＴからの所定操作を検出すると、このＭＦＴの会議通話以外の他の通信受付、例えば保留や着信等の通信状態を継続したまま、このＭＦＴの会議通話のみを切断するようにした。【選択図】  図６
2004215023.tif 000002
【特許請求の範囲】
【請求項１】
複数の通信受付を可能とすると共に、会議通話を可能とする電話管理端末を収容接続する電話交換機を備え、この電話交換機は、前記電話管理端末の会議通話を確立する通話制御手段を有する電話交換システムであって、
前記通話制御手段は、
前記電話管理端末の会議通話中に、この電話管理端末からの所定操作を検出すると、前記会議通話以外の他の通信受付を継続したまま、この電話管理端末の会議通話のみを切断することを特徴とする電話交換システム。
【請求項２】
前記電話管理端末の会議通話又は通信受付に関わる現在の通信相手情報及び通信状態情報を検出する情報検出手段と、
この情報検出手段にて検出した前記電話管理端末の会議通話又は通信受付に関わる現在の通信相手情報及び通信状態情報を記憶手段に記憶する記憶制御手段と、
前記記憶手段に記憶中の前記電話管理端末の会議通話又は通信受付に関わる現在の通信相手情報及び通信状態情報を通信状況情報として、この電話管理端末の表示手段に表示する表示制御手段とを有し、
前記記憶制御手段は、
前記電話管理端末からの所定操作を検出すると、この電話管理端末の会議通話又は通信受付に関わる現在の通信相手情報及び通信状態情報を前記記憶手段から削除することを特徴とする請求項１記載の電話交換システム。
【発明の詳細な説明】
【０００１】
【発明の属する技術分野】
本発明は、例えば会議通話機能を有する電話交換機を備えた電話交換システムに関する。
【０００２】
【従来の技術】
従来、このような電話交換システムとしては、複数の内線電話機及び会議トランクを収容接続する電話交換機を有し、内線電話機同士の通話中に当該通話中のどちらか一方の内線電話機から会議通話対象となる他の内線電話機を呼び出し、この内線電話機が応答することで、これら３台の内線電話機を会議トランクに接続するようにしたので、３台の内線電話機間による会議通話を実現することができる（例えば特許文献１参照）。
【０００３】
また、特許文献１の技術的思想を考慮すると、他の電話交換システムとして、複数の内線電話機と、複数の通信受付を可能とする電話管理端末と、これら内線電話機及び電話管理端末を収容接続する電話交換機を有し、この電話交換機は、内線電話機及び電話管理端末間の会議通話を確立するようにしたものも考えられる。
【０００４】
尚、通信受付とは、会議通話以外の通信状態、例えば保留や着信等の通信状態を意味するものとする。つまり、複数の通信受付を可能とする電話管理端末では、会議通話中であっても空き回線がある場合には、この空き回線を通じて着信を受付可能とするものである。
【０００５】
【特許文献】
特開平９−５５８０９号公報（図１参照）
【０００６】
【発明が解決しようとする課題】
しかしながら、上記従来の電話交換システムによれば、電話管理端末において会議通話中であっても空き回線がある場合には着信等を受け付ける通信受付を可能としたが、この会議通話中に電話管理端末からの切断操作を検出すると、この会議通話を切断するだけでなく、この着信等をも切断されてしまう。
【０００７】
本発明は上記点に鑑みてなされたものであり、その目的とするところは、会議通話の切断操作があったとしても、会議通話のみを切断しながら、着信や保留等の複数の通信状態を維持することができる電話交換システムを提供することにある。
【０００８】
【課題を解決するための手段】
上記目的を達成するために本発明の電話交換システムは、複数の通信受付を可能とすると共に、会議通話を可能とする電話管理端末を収容接続する電話交換機を備え、この電話交換機は、前記電話管理端末の会議通話を確立する通話制御手段を有する電話交換システムであって、前記通話制御手段は、前記電話管理端末の会議通話中に、この電話管理端末からの所定操作を検出すると、前記会議通話以外の他の通信受付を継続したまま、この電話管理端末の会議通話のみを切断するようにした。
【０００９】
従って、本発明の電話交換システムによれば、電話管理端末の会議通話中に、この電話管理端末からの所定操作を検出すると、前記会議通話以外の他の通信受付を継続したまま、この電話管理端末の会議通話のみを切断するようにしたので、例えば会議通話及び会議通話以外の他の通信受付中に会議通話切断操作を検出したとしても、この会議通話のみを切断することで着信や保留等の通信状態を維持することができる。
【００１０】
また、本発明の電話交換システムは、前記電話管理端末の会議通話又は通信受付に関わる現在の通信相手情報及び通信状態情報を検出する情報検出手段と、この情報検出手段にて検出した前記電話管理端末の会議通話又は通信受付に関わる現在の通信相手情報及び通信状態情報を記憶手段に記憶する記憶制御手段と、前記記憶手段に記憶中の前記電話管理端末の会議通話又は通信受付に関わる現在の通信相手情報及び通信状態情報を通信状況情報として、この電話管理端末の表示手段に表示する表示制御手段とを有し、前記記憶制御手段は、前記電話管理端末からの所定操作を検出すると、この電話管理端末の会議通話又は通信受付に関わる現在の通信相手情報及び通信状態情報を前記記憶手段から削除するようにした。
【００１１】
従って、本発明の電話交換システムによれば、電話管理端末からの所定操作を検出すると、この電話管理端末の会議通話又は通信受付に関わる現在の通信相手情報及び通信状態情報を記憶手段から削除するようにしたので、例えば会議通話及び会議通話以外の他の通信受付中に会議通話切断操作を検出したとしても、この会議通話に関わる通信相手情報及び通信状態情報のみを記憶手段から削除し、通信受付に関わる通信相手情報及び通信状態情報を記憶手段に記憶保持することで、通信受付に関わる通信状況情報を電話管理端末の表示手段に表示させることができる。
【００１２】
【発明の実施の形態】
以下、図面に基づいて本発明の電話交換システムに関わる実施の形態について説明する。図１は本実施の形態を示す電話交換システム内部の概略構成を示すブロック図である。
【００１３】
図１に示す電話交換システム１は、例えば複数の電話機１１と、多機能電話機（以下、単にＭＦＴと称する）１２と、これら電話機１１及びＭＦＴ１２を収容接続する電話交換機（以下、単にＰＢＸと称する）１３とを有し、ＰＢＸ１３は、例えば電話機１１からの着信を検出すると、この着信をＭＦＴ１２に通知し、このＭＦＴ１２の応答操作に応じて電話機１１との通話接続を確立するものである。
尚、このＭＦＴ１２は、最大１０回線までの電話機１１やＭＦＴ１２からの着信に対して受付可能である。
【００１４】
ＰＢＸ１３は、電話機１１とのインタフェースを司る内線制御ボード（以下、単にＬＩＮと称する）２１と、ＭＦＴ１２とのインタフェースを司るＭＦＴ制御ボード（以下、単にＭＴＬと称する）２２と、会議通話機能を実現する会議トランク（以下、単にＣＦＴと称する）２３と、これらＬＩＮ２１、ＭＴＬ２２及びＣＦＴ２３間で通話路を形成する通話路スイッチ（以下、単にＴＳＷと称する）２４と、例えば局プログラム等の様々なデータを管理する記憶装置（以下、単にＭＥＭと称する）２５と、このＰＢＸ１３全体を制御する中央制御装置（以下、単にＣＰＵと称する）２６とを有している。
【００１５】
図２はＭＦＴ１２の盤面を示す説明図である。
【００１６】
図２に示すＭＦＴ１２は、ＣＦＴ２３の会議通話機能を利用することで最大１０回線までの同時通話を可能とし、ＰＢＸ１３を通じて着信を検出すると、その着信に応じて着信状況を最大５回線まで詳細表示できる着信詳細表示領域群３１と、その着信に応じて着信状況を最大５回線まで着信有無を通知できる計５個の着信ランプ４６で構成する着信ランプ領域群３２と、一つのハンドセット３３と、ダイヤル操作部３４と、後述する表示切替ボタン３５とを有している。
【００１７】
着信詳細表示領域群３１は、第１から第５までの計５個の着信機能操作部３１Ａを有し、各着信機能操作部３１Ａは、通信相手の電話番号をＬＣＤ表示するＬＣＤ表示部４１と、このＬＣＤ表示部４１に表示中の着信の呼を保留する保留ボタン４２と、ＬＣＤ表示部４１に表示中の着信の呼に応答する通話ボタン４３と、同表示中の着信の呼を他の転送先に転送する転送ボタン４４と、同表示中の通話を切断する復旧ボタン４５とを有している。
【００１８】
尚、着信詳細表示領域群３１は第１から第５までの通信状態、着信ランプ領域群３２は第６から第１０までの着信状態を表示し、表示切替ボタン３５のボタン操作で、着信詳細表示領域群３１に第６から第１０までの通信状態を、着信ランプ領域群３２に第１から第５までの着信状態を切替表示することができる。
【００１９】
次にＭＥＭ２５のメモリ内容について説明する。
【００２０】
ＭＥＭ２５には、局プログラム等の様々な情報を記憶管理されており、例えばＣＦＴ２３の実装位置を示すＣＦＴ管理テーブル（図３参照）５１と、ＭＦＴ単位の表示切替テーブル（図４参照）５２と、ＭＦＴ単位で、このＭＦＴ１２に関わる通信状況を管理するＭＦＴ管理テーブル（図５参照）５３とを有している。
【００２１】
図３に示すＣＦＴ管理テーブル５１は、ＣＦＴ２３の実装位置を示す実装位置情報５１Ａと、この実装位置の使用状況を示す使用状態情報５１Ｂとを有している。
【００２２】
図４に示す表示切替テーブル５２は、表示切替ボタン３５のボタン操作を示す表示切替フラグ５２Ａを有している。
【００２３】
図５に示すＭＦＴ管理テーブル５３は、ＭＦＴ１２毎に第１から第１０までの通信受付領域５３Ａを有し、各通信受付領域５３Ａは、ＭＦＴ１２の通信相手の電話番号である通信相手情報５３Ｂと、同ＭＦＴ１２に関わる通話中、保留中、着信中や発信中等の通信状態情報５３Ｃと、着信時間や発信時間等を示す履歴情報５３Ｄと、使用ＣＦＴ２３を示す使用ＣＦＴ情報５３Ｅとを記憶管理している。
【００２４】
図６はＰＢＸ１３のＣＰＵ２６内部の概略構成を示すブロック図である。
【００２５】
図６に示すＣＰＵ２６は、ＰＢＸ１３における電話通信の制御を司る通信制御部６１と、ＭＴＬ２２との制御インタフェースを司るＭＴＬインタフェース部６２と、ＭＥＭ２５をメモリ制御するメモリ制御部６３と、このＣＰＵ２６全体を制御する制御部６４とを有している。
【００２６】
通信制御部６１は、例えばＭＦＴ１２に関わる通信状態情報や通信相手情報等を検出する状態検出部６１Ａを有している。
【００２７】
ＭＴＬインタフェース部６２は、ＭＴＬ２２を通じてＭＦＴ１２の着信詳細表示領域群３１のＬＣＤ表示部４１や着信ランプ領域群３２の着信ランプ４６等を表示制御する表示制御部６２Ａと、ＭＦＴ１２の着信詳細表示領域群３２に関わる着信機能操作部３１Ａのボタン操作を検出するボタン検出部６２Ｂとを有している。
【００２８】
尚、請求項記載の電話端末は電話機１１、電話管理端末はＭＦＴ１２、電話交換機はＰＢＸ１３、通話制御手段は通信制御部６１、状態検出手段は状態検出部６１Ａ、記憶制御手段はメモリ制御部６３、表示制御手段は表示制御部６２Ａ、記憶手段はＭＥＭ２５に、表示手段はＬＣＤ表示部４１に相当するものである。
【００２９】
次に本実施の形態を示す電話交換システム１の動作について説明する。図７はＭＦＴ着信受付処理に関わるＣＰＵ２６内部の処理動作を示すフローチャートである。
【００３０】
図７に示すＭＦＴ着信受付処理とは、ＭＦＴ１２への着信を受け付ける処理である。
【００３１】
図７においてＣＰＵ２６の通信制御部６１は、呼出先ダイヤル番号を受信すると、この呼出先ダイヤル番号をチェックすることで（ステップＳ１１）、この呼出先ダイヤル番号がＭＦＴ１２であるか否かを判定する（ステップＳ１２）。尚、この呼出先ダイヤル番号がＭＦＴ１２であるか否かの判定は、ＭＥＭ２５内の局データで把握できるものとする。
【００３２】
ＣＰＵ２６のメモリ制御部６３は、呼出先ダイヤル番号がＭＦＴ１２であると判定されると、図５に示すＭＦＴ管理テーブル５３を参照することで同ＭＦＴ１２の通信受付領域５３Ａに対応した通信状態情報をチェックし（ステップＳ１３）、同ＭＦＴ１２が回線使用中であるか否かを判定する（ステップＳ１４）。
【００３３】
メモリ制御部６３は、同ＭＦＴ１２が回線使用中でない、つまり回線空き状態であると判定されると、図３に示すＣＦＴ管理テーブル５１の先頭からＣＦＴ２３の実装位置情報５１Ａをチェック対象として抽出し（ステップＳ１５）、このＣＦＴ管理テーブル５１内にチェック対象の実装位置情報５１Ａがあるか否かを判定する（ステップＳ１６）。
【００３４】
メモリ制御部６３は、実装位置情報５１Ａがあると判定されると、ＣＦＴ２３があると判断し、図３に示すＣＦＴ管理テーブル５１から同ＣＦＴ２３の使用状態情報５１Ｂをチェックする（ステップＳ１７）。
【００３５】
メモリ制御部６３は、同ＣＦＴ２３の使用状態情報５１Ｂに基づいて、同ＣＦＴ２３の使用状態が空きであるか否かを判定する（ステップＳ１８）。メモリ制御部６３は、同ＣＦＴ２３の使用状態が空きであると判定されると、ＣＦＴ管理テーブル５１内の同ＣＦＴ２３に対応する使用状態情報５１Ｂを“使用中”に設定し（ステップＳ１９）、同ＭＦＴ１２におけるＭＦＴ管理テーブル５１内の第１通信受付領域５３Ａに同着信中の通信相手の電話番号である通信相手情報５３Ｂ、通信状態情報５３Ｃ、履歴情報５３Ｄ及び使用ＣＦＴ情報５３Ｅ等の情報を設定することで（ステップＳ２０）、通信制御部６１を通じて、同ＭＦＴ１２への呼出動作を実行すべく、この処理動作を終了する。
【００３６】
ステップＳ１２にて呼出先ダイヤル番号がＭＦＴ１２に相当しないと判断されると、呼出先ダイヤル番号が一般電話機に相当するものと判断し、一般的な発信処理を実行すべく、この処理動作を終了する。
【００３７】
メモリ制御部６３は、ステップＳ１４にて同ＭＦＴ１２が回線使用中であると判定されると、空きの回線があるか否かを判断すべく、図５に示すＭＦＴ管理テーブル５３の第１から第１０までの通信受付領域５３Ａから、チェック対象の通信受付領域５３Ａを検索する（ステップＳ２１）。尚、ＭＦＴ１２は、第１から第１０の最大１０回線まで着信受付可能である。
【００３８】
メモリ制御部６３は、ステップＳ２１にて検索したチェック対象の通信受付領域５３Ａが空きであるか否かを判定する（ステップＳ２２）。
【００３９】
メモリ制御部６３は、チェック対象の通信受付領域５３Ａが空きであると判定されると、ＭＦＴ管理テーブル５３内の空き通信受付領域５３Ａに同着信中の通信相手情報５３Ｂ、通信状態情報５３Ｃ及び履歴情報５３Ｄ等の情報を設定することで（ステップＳ２３）、通信制御部６１を通じて、同ＭＦＴ１２への呼出動作を実行すべく、この処理動作を終了する。
【００４０】
メモリ制御部６３は、ステップＳ２２にてチェック対象の通信受付領域５３Ａが空きでない、つまり使用中であると判定されると、ＭＦＴ管理テーブル５３から次のチェック対象の通信受付領域５３Ａを設定し（ステップＳ２４）、次のチェック対象の通信受付領域５３Ａがあるか否かを判定する（ステップＳ２５）。
【００４１】
メモリ制御部６３は、ＭＦＴ管理テーブル５３内に次のチェック対象の通信受付領域５３Ａがあると判定されると、このチェック対象の通信受付領域５３ＡをＭＦＴ管理テーブル５３から検索すべく、ステップＳ２１に移行する。
【００４２】
また、メモリ制御部６３Ａは、ステップＳ２５にて次の通信受付領域５３Ａはないと判定されると、同ＭＦＴ１２の第１から第１０の通信受付領域５３Ａは使用中であると判断し、空きなしとして発信側端末にビジー音を送信することで、この処理動作を終了する。
【００４３】
また、ステップＳ１６にてＣＦＴ管理テーブル２３からチェック対象の実装位置情報５１Ａがないと判断されると、又はステップＳ１８にてＣＦＴ２３に空き状態がないと判断されると、ＣＦＴ管理テーブル２６から次の実装位置情報５１Ａを設定し（ステップＳ２６）、次のチェック対象の実装位置情報５１Ａがあるか否かを判定する（ステップＳ２７）。
【００４４】
メモリ制御部６３は、次のチェック対象の実装位置情報５１Ａがあると判定されると、同チェック対象の実装位置情報５１Ａを検索すべく、ステップＳ１５に移行する。
【００４５】
メモリ制御部６３は、ステップＳ２７にてチェック対象の実装位置情報５１Ａがないと判定されると、ＣＦＴ２３を捕捉することができないことから、空きなしとして発信側端末にビジー音を送信することで、この処理動作を終了する。
【００４６】
図７に示すＭＦＴ着信受付処理によれば、ＣＦＴ２３を通じてＭＦＴ１２が最大１０回線までの着信を受付可能としている。
【００４７】
ＭＦＴ１２は、最大１０回線の着信を受付可能とし、５回線分までの着信の通信相手情報等を着信詳細表示領域群３１に、次の５回線分までの着信を着信ランプ領域群３２に受け付け、着信詳細表示領域群３１の各着信機能操作部３１ＡのＬＣＤ表示部４１に表示することで、このＬＣＤ表示部４１に表示中の着信中の通信相手情報に対応する通話ボタン４２がボタン操作されると、この通話ボタン４２に対応する通信相手との会議通話を順次確立することができる。
【００４８】
尚、ＭＦＴ１２では、着信詳細表示領域群３１の着信機能操作部３１ＡのＬＣＤ表示部４１に表示中の着信中の通信相手情報に関わる通話ボタン４２をボタン操作することで会議通話を順次確立するようにしていることから、着信ランプ領域群３２に受付中の着信についても表示切替ボタン３５のボタン操作で着信詳細表示領域群３１に着信を表示させることで、これら着信についても、同様に通話ボタン４２をボタン操作することで会議通話に加え、最大１０回線までの会議通話を確立することができる。
【００４９】
図８は会議通話一括切断処理に関わるＣＰＵ２６の処理動作を示すフローチャートである。
【００５０】
この会議通話一括切断処理とは、例えばＭＦＴ１２の会議通話中に、このＭＦＴ１２にて会議通話に関わる一括切断操作を検出すると、この会議通話のみを切断する処理である。
【００５１】
図８においてＣＰＵ２６のボタン検出部６２は、ＭＦＴ１２からの会議通話一括切断のボタン操作を検出すると、この会議通話一括切断処理を起動する。
【００５２】
ＣＰＵ２６のメモリ制御部６３は、図５に示すＭＦＴ管理テーブル５３から同ボタン操作したＭＦＴ１２の通信受付領域５３Ａを検索し（ステップＳ３１）、同ＭＦＴ１２の通信受付領域５３Ａがあるか否かを判定する（ステップＳ３２）。
【００５３】
メモリ制御部６３は、同ＭＦＴ１２の通信受付領域５３Ａがあると判定されると、この通信受付領域５３Ａに対応した通信状態情報５３Ｃを検索し（ステップＳ３３）、この通信状態情報５３Ｃをチェックすることで（ステップＳ３４）、同通信状態情報５３Ｃが通話中であるか否かを判定する（ステップＳ３５）。
【００５４】
メモリ制御部６３は、通信状態情報５３Ｃが通話中であると判定されると、次のチェック対象の通信受付領域５３Ａを設定し（ステップＳ３６）、次のチェック対象の通信受付領域５３Ａがあるか否かを判定する（ステップＳ３７）。
【００５５】
メモリ制御部６３は、次のチェック対象の通信受付領域５３Ａがあると判定されると、次のチェック対象の通信受付領域５３Ａを検索すべく、ステップＳ３１に移行する。
【００５６】
メモリ制御部６３は、次のチェック対象の通信受付領域５３Ａがないと判定されると、ＭＦＴ管理テーブル５３内の全部の通信受付領域５３Ａが通話中であると判断し、第１通信受付領域５３Ａに設定することで（ステップＳ３８）、同通信受付領域５３Ａに対応した通信相手情報５３Ｂを検索し（ステップＳ３９）、ＭＦＴ管理テーブル５３Ａ内に通信相手情報５３Ｂがあるか否かを判定する（ステップＳ４０）。
【００５７】
メモリ制御部６３は、通信相手情報５３Ｂがあると判定されると、この通信受付領域５３Ａに対応した情報、例えば通信相手情報５３Ｂ、通信状態情報５３Ｃ、履歴情報５３Ｄ及び使用ＣＦＴ情報５３Ｅ等の情報を削除し（ステップＳ４１）、次の削除対象の通信受付領域５３Ａを設定することで（ステップＳ４２）、次の削除対象の通信受付領域５３Ａがあるか否かを判定する（ステップＳ４３）。
【００５８】
メモリ制御部６３は、次の削除対象の通信受付領域５３Ａがあると判定されると、次の削除対象の通信受付領域５３Ａの情報を検索すべく、ステップＳ３９に移行する。
【００５９】
メモリ制御部６３は、ステップＳ４３にて次の削除対象の通信受付領域５３Ａがないと判定されると、全ての会議通話が切断されたものとして、この処理動作を終了する。
【００６０】
メモリ制御部６３は、ステップＳ３５にて通信状態情報５３Ｂが通信中でないと判定されると、例えば着信中や保留中であると判断し、ＭＦＴ管理テーブル５３のチェック対象として第１通信受付領域５３Ａを設定する（ステップＳ４５）。
【００６１】
メモリ制御部６３は、このチェック対象の通信受付領域５３Ａに対応した通信相手情報５３Ｂを検索し（ステップＳ４６）、この通信相手情報５３Ｂがあるか否かを判定する（ステップＳ４７）。
【００６２】
メモリ制御部６３は、通信相手情報５３Ｂがあると判定されると、この通信相手情報５３Ｂに対応する通信状態情報５３Ｃを検索し（ステップＳ４８）、この通信状態情報５３Ｃをチェックすることで（ステップＳ４９）、この通信状態情報５３Ｃが通話中であるか否かを判定する（ステップＳ５０）。
【００６３】
メモリ制御部６３は、通信状態情報５３Ｃが通話中であると判定されると、この通信受付領域に対応する情報、例えば通信相手情報５３Ｂ、通信状態情報５３Ｃ、履歴情報５３Ｄ及び使用ＣＦＴ情報５３Ｅ等の情報を削除し（ステップＳ５１）、次のチェック対象の通信受付領域５３Ａを設定することで（ステップＳ５２）、次のチェック対象の通信受付領域５３Ａがあるか否かを判定する（ステップＳ５３）。
【００６４】
メモリ制御部６３は、次のチェック対象の通信受付領域５３Ａがあると判定されると、次のチェック対象の通信受付領域５３Ａの情報を検索すべく、ステップＳ４６に移行する。
【００６５】
メモリ制御部６３は、ステップＳ５３にて次のチェック対象の通信受付領域５３Ａがないと判定されると、例えば会議通話以外の着信や保留等の通信受付を切断することなく、全ての会議通話を切断することで、この処理動作を終了する。
【００６６】
この会議通話一括切断処理によれば、ＭＦＴ１２の会議通話一括切断のボタン操作を検出すると、ＭＦＴ１２の保留や着信等の通信受付を切断することなく、ＭＦＴ１２の会議通話のみを一括で切断することができる。
【００６７】
例えば第１通信受付領域５３Ａを“通話中”、第２通信受付領域５３Ａを“着信中”、第３通信受付領域５３Ａを“通話中”、第４通信受付領域５３Ａを“通話中”、第５通信受付領域５３Ａを“着信中”とした場合、会議通話一括切断処理を実行することで、図１０に示す着信詳細表示領域群３１の第１、第３及び第４通信受付領域５３Ａに対応した着信機能操作部３１ＡのＬＣＤ表示部４１が消灯し、第２及び第５通信受付領域５３Ａに対応した着信機能操作部３１ＡのＬＣＤ表示部４１に通信相手情報を表示することになる。
【００６８】
さらに、このように会議通話一括切断処理を実行後、第１、第３及び第４通信受付領域５３Ａが空き状態となるので、第２通信受付領域５３Ａの“着信中”に関わる情報を空きの第１通信受付領域５３Ａに、第５通信受付領域５３Ａの“着信中”に関わる情報を空きの第２通信受付領域５３Ａにスライド登録することで、図１１に示す着信詳細表示領域群３１の第１及び第２通信受付領域５３Ａに対応した着信機能操作部３１ＡのＬＣＤ表示部４１に“着信中”の通信相手情報を上詰めで表示することになる。
【００６９】
図９は会議通話個別切断処理に関わるＣＰＵ２６の処理動作を示すフローチャートである。
【００７０】
この会議通話個別切断処理とは、会議通話中にＭＦＴ１２にて切断対象の通話相手に対応する復旧ボタン４５のボタン操作を検出すると、同会議通話中の通話相手との通話を個別に切断する処理である。
【００７１】
ＣＰＵ２６のボタン検出部６２Ｂは、ＭＦＴ１２からの復旧ボタン４５のボタン操作を検出すると、会議通話個別切断処理を起動する。
【００７２】
ＣＰＵ２６のメモリ制御部６３は、同ＭＦＴ管理テーブル５３から同復旧ボタン４５のボタン操作に関わる該当通信受付領域５３Ａに対応した通信状態情報５３Ｃを検索し（ステップＳ６１）、この通信状態情報５３Ｃをチェックすることで（ステップＳ６２）、この通信状態情報５３Ｃが空きであるか否かを判定する（ステップＳ６３）。
【００７３】
メモリ制御部６３は、空きであると判定されると、この復旧ボタン４５のボタン操作を受け付けることなく、この処理動作を終了する。
【００７４】
また、メモリ制御部６３は、ステップＳ６３にて通信状態情報５３Ｃが空きでない、つまり使用中であると判定されると、ＭＦＴ管理テーブル５３内の第１通信受付領域５３Ａをチェック対象として設定し（ステップＳ６４）、このチェック対象の通信受付領域５３Ａに対応した通信相手情報を検索し（ステップＳ６５）、このチェック対象の通信受付領域５３Ａが復旧ボタン４５に対応した通信受付領域５３Ａと一致しているか否かのチェック動作を実行する（ステップＳ６６）。
【００７５】
メモリ制御部６３は、チェック対象の通信受付領域５３Ａが復旧ボタン４５に対応した通信受付領域５３Ａと一致しているか否かを判定する（ステップＳ６７）。
【００７６】
メモリ制御部６３は、チェック対象の通信受付領域５３Ａが復旧ボタン４５に対応した通信受付領域５３Ａと一致していると判定されると、この通信受付領域５３Ａに対応した通信状態情報５３Ｃを検索し（ステップＳ６８）、この通信状態情報５３Ｃをチェックすることで（ステップＳ６９）、この通信状態情報５３Ｃが通話中であるか否かを判定する（ステップＳ７０）。
【００７７】
メモリ制御部６３は、通信状態情報５３Ｃが通話中であると判定されると、この通信受付領域５３Ａに対応した情報、例えば通信相手情報５３Ｂ、通信状態情報５３Ｃ、履歴情報５３Ｄ及び使用ＣＦＴ情報５３Ｅ等の情報を削除することで（ステップＳ７１）、この通話相手との会議通話を切断することで、この処理動作を終了する。
【００７８】
メモリ制御部６３は、ステップＳ６７にてチェック対象の通信受付領域５３Ａと復旧ボタン４５に対応した通信受付領域５３Ａとが一致していないと判定されると、又はステップＳ７０にて通信状態情報５３Ｃが通話中でない、つまり着信や保留等の通信受付中であると判定されると、次の通信受付領域５３Ａをチェック対象に設定する（ステップＳ７２）。
【００７９】
メモリ制御部６３は、次のチェック対象の通信受付領域５３Ａがあるか否かを判定する（ステップＳ７３）。メモリ制御部６３は、次のチェック対象の通信受付領域５３Ａがあると判定されると、このチェック対象の通信受付領域５３Ａに対応した通信相手情報５３Ｂを検索すべく、ステップＳ６５に移行する。
【００８０】
メモリ制御部６３は、次のチェック対象の通信受付領域５３Ａがないと判定されると、第１通信受付領域５３Ａをチェック対象に設定し（ステップＳ７４）、同通信受付領域に対応した通信相手情報５３Ｂを検索し（ステップＳ７５）、この通信相手情報５３Ｂの通信受付領域５３Ａが復旧ボタン４５の通信受付領域５３Ａと一致するか否かを示すチェック動作を実行し（ステップＳ７６）、この通信相手情報５３Ｂの通信受付領域５３Ａが復旧ボタン４５の通信受付領域５３Ａとが一致するか否かを判定する（ステップＳ７７）。
【００８１】
メモリ制御部６３は、通信相手情報５３Ｂの通信受付領域５３Ａが復旧ボタン４５の通信受付領域５３Ａと一致すると判定されると、この通信受付領域５３Ａに対応した通信状態情報５３Ｃを検索し（ステップＳ７８）、この通信状態情報５３Ｃをチェックすることで（ステップＳ７９）、この通信状態情報５３Ｃが着信中であるか否かを判定する（ステップＳ８０）。
【００８２】
メモリ制御部６３は、この通信状態情報５３Ｃが着信中であると判定されると、この着信中の通信受付領域に対応した情報、例えば通信相手情報５３Ｂ、通信状態情報５３Ｃ、履歴情報５３Ｄ及び使用ＣＦＴ情報等の情報を削除することで（ステップＳ８１）、この通信相手との着信受付を切断することで、この処理動作を終了する。
【００８３】
メモリ制御部６３は、ステップＳ７７にて通信相手情報５３Ｂの通信受付領域５３Ａが復旧ボタン４５の通信受付領域５３Ａと一致でないと判定されると、又はステップＳ８０にて通信状態情報５３Ｃが着信中でない、例えば保留中であると判定されると、次の通信受付領域５３Ａをチェック対象に設定し（ステップＳ８２）、次のチェック対象の通信受付領域５３Ａがあるか否かを判定する（ステップＳ８３）。
【００８４】
メモリ制御部６３は、次のチェック対象の通信受付領域５３Ａがあると判定されると、次の通信受付領域５３Ａを検索すべく、ステップＳ７５に移行する。
【００８５】
メモリ制御部６３は、ステップＳ８３にて次のチェック対象の通信受付領域５３Ａがないと判定されると、この通信受付領域５３Ａの情報、例えば通信相手情報５３Ｂ，通信状態情報５３Ｃ、履歴情報５３Ｃ及び使用ＣＦＴ情報５３Ｅ等の情報を削除することで（ステップＳ８４）、この通信相手との保留受付を切断することで、この処理動作を終了する。
【００８６】
この会議通話個別切断処理によれば、着信詳細表示領域群３１の各着信機能操作部３１Ａ内のＬＣＤ表示部４１にて表示中の会議通話中若しくは通信受付中に関わる通信相手に対応した復旧ボタン４５がボタン操作されると、この通信相手との会議通話若しくは通信受付を切断するようにしたので、通信相手毎に会議通話若しくは通信受付を個別に切断することができる。
【００８７】
本実施の形態によれば、ＭＦＴ１２の会議通話中に、このＭＦＴ１２からの所定ボタン操作を検出すると、会議通話以外の他の通信受付を継続したまま、このＭＦＴ１２の会議通話のみを切断するようにしたので、例えば会議通話及び会議通話以外の他の通信受付中に会議通話切断のボタン操作を検出したとしても、この会議通話のみを切断することで着信や保留等の通信状態を維持することができる。
【００８８】
本実施の形態によれば、ＭＦＴ１２からの所定操作を検出すると、このＭＦＴ１２の会議通話又は通信受付に関わる現在の通信相手情報５３Ｂ及び通信状態情報５３ＣをＭＦＴ管理テーブル５３の通信受付領域５３Ａから削除するようにしたので、例えば会議通話及び会議通話以外の他の通信受付中に会議通話切断のボタン操作を検出したとしても、この会議通話に関わる通信相手情報５３Ｂ及び通信状態情報５３ＣのみをＭＦＴ管理テーブル５３から削除し、通信受付に関わる通信相手情報５３Ｂ及び通信状態情報５３ＣをＭＦＴ５３に記憶保持することで、通信受付に関わる通信状況情報をＭＦＴ１２のＬＣＤ表示部４１に表示させることができる。
【００８９】
また、本実施の形態によれば、ＭＦＴ１２のユーザが着信中の通話ボタン４２をボタン操作することで順次会議通話を確立するようにしたので、ＭＦＴ１２のユーザは、着信中の通信相手情報から会議に参加させたい相手を自由に選ぶことができる。
【００９０】
本実施の形態によれば、ＭＦＴ１２のユーザは会議通話中に復旧ボタン４５をボタン操作することで会議通話中のメンバーから意図的に外したい相手を自由に選ぶことができる。
【００９１】
【発明の効果】
上記のように構成された本発明の電話交換システムによれば、電話管理端末の会議通話中に、この電話管理端末からの所定操作を検出すると、前記会議通話以外の他の通信受付を継続したまま、この電話管理端末の会議通話のみを切断するようにしたので、例えば会議通話及び会議通話以外の他の通信受付中に会議通話切断操作を検出したとしても、この会議通話のみを切断することで着信や保留等の通信状態を維持することができる。
【００９２】
本発明の電話交換システムによれば、電話管理端末からの所定操作を検出すると、この電話管理端末の会議通話又は通信受付に関わる現在の通信相手情報及び通信状態情報を記憶手段から削除するようにしたので、例えば会議通話及び会議通話以外の他の通信受付中に会議通話切断操作を検出したとしても、この会議通話に関わる通信相手情報及び通信状態情報のみを記憶手段から削除し、通信受付に関わる通信相手情報及び通信状態情報を記憶手段に記憶保持することで、通信受付に関わる通信状況情報を電話管理端末の表示手段に表示させることができる。
【図面の簡単な説明】
【図１】本発明の実施の形態を示す電話交換システム内部の概略構成を示すブロック図である。
【図２】本実施の形態に関わるＭＦＴの盤面を示す説明図である。
【図３】本実施の形態に関わるＭＥＭのＣＦＴ管理テーブルのテーブル内容を示す説明図である。
【図４】本実施の形態に関わるＭＥＭの表示切替テーブルのテーブル内容を示す説明図である。
【図５】本実施の形態に関わるＭＥＭのＭＦＴ管理テーブルのテーブル内容を示す説明図である。
【図６】本実施の形態に関わるＣＰＵ内部の概略構成を示すブロック図である。
【図７】本実施の形態におけるＭＦＴ着信受付処理に関わるＣＰＵの処理動作を示すフローチャートである。
【図８】本実施の形態における会議通話一括切断処理に関わるＣＰＵの処理動作を示すフローチャートである。
【図９】本実施の形態における会議通話個別切断処理に関わるＣＰＵの処理動作を示すフローチャートである。
【図１０】本実施の形態に関わるＭＦＴの着信詳細表示領域群の一例（会議通話一括切断処理後）を示す説明図である。
【図１１】本実施の形態に関わるＭＦＴの着信詳細表示領域群の一例（会議通話一括切断処理後のスライド登録）を示す説明図である。
【符号の説明】
１    電話交換システム
１１    電話機（電話端末）
１２    多機能電話機（ＭＦＴ：電話管理端末）
１３    電話交換機（ＰＢＸ）
２５    記憶装置（ＭＥＭ：記憶手段）
４１    ＬＣＤ表示部（表示手段）
６１    通信制御部（通信制御手段）
６１Ａ  状態検出部（状態検出手段）
６２Ａ  表示制御部（表示制御手段）
６３    メモリ制御部（記憶制御手段）
【図１】
2004215023.tif 000003
【図２】
2004215023.tif 000004
【図３】
2004215023.tif 000005
【図４】
2004215023.tif 000006
【図５】
2004215023.tif 000007
【図６】
2004215023.tif 000008
【図７】
2004215023.tif 000009
【図８】
2004215023.tif 000010
【図９】
2004215023.tif 000011
【図１０】
2004215023.tif 000012
【図１１】
2004215023.tif 000013